(57)【要約】【課題】ユーザの実際の状況に応じて日焼けをすると推定される時間を変更すること。【解決手段】測定対象が発汗していると判定した場合、前記測定対象が日焼けをすると推定されるまでの時間を示す日焼け時間を、前記測定対象が発汗していないと判定した場合と比較して短縮する発汗判定処理を行う制御部とを備えたことを特徴とする。【選択図】図１
2012189520.tif 000002
【特許請求の範囲】
【請求項１】
測定対象が発汗していると判定した場合、前記測定対象が日焼けをすると推定されるまでの時間を示す日焼け時間を、前記測定対象が発汗していないと判定した場合と比較して短縮する発汗判定処理を行う制御部と
を備えたことを特徴とする紫外線測定装置。
【請求項２】
紫外線強度を測定する紫外線センサーと、
前記紫外線センサーが測定した紫外線強度に基づいて、前記測定対象が日焼けをすると推定されるまでの時間を示す日焼け時間を取得し、取得した日焼け時間を日焼け時間設定値として記憶部に格納する日焼け時間算出部と、
前記記憶部に格納されている日焼け時間設定値に基づいて、前記測定対象が日焼けをすると推定されるまでの残時間を計測するタイマー部と、
前記測定対象の皮膚抵抗値を検出する皮膚抵抗値検出部と、をさらに備え、
前記制御部は、
前記皮膚抵抗値検出部によって検出される前記皮膚抵抗値の変化量と、前記測定対象が発汗していないと判定される予め決められた許容範囲とを比較し、前記皮膚抵抗値の変化量が前記許容範囲を超えた場合、前記測定対象が発汗していると判定して前記タイマーによって計測される残時間を短縮する前記発汗判定処理を行う
ことを特徴とする請求項１に記載の紫外線測定装置。
【請求項３】
前記記憶部は、
前記タイマー部が残時間を計測する以前に前記皮膚抵抗値検出部によって検出された前記皮膚抵抗値を初期抵抗値として格納し、
前記制御部は、
予め決められた設定時間毎に前記皮膚抵抗値検出部によって検出される前記皮膚抵抗値と前記初期抵抗値との差分と、予め決められた閾値により規定される許容範囲とを比較し、前記差分が前記閾値未満であった場合、前記測定対象が発汗していると判定することを特徴とする請求項１あるいは２に記載の紫外線測定装置。
【請求項４】
前記制御部は、
前記紫外線センサーによって測定された前記紫外線強度に基づいて、前記紫外線強度が予め決められた閾値以上であった場合、前記発汗判定処理を行うことを特徴とする請求項１から３のうちいずれか一項に記載の紫外線測定装置。
【請求項５】
前記紫外線測定装置が位置される環境の環境温度を測定する温度センサーをさらに備え、
前記制御部は、
前記温度センサーによって測定された前記環境温度に基づいて、前記環境温度が予め決められた閾値以上であった場合、前記発汗判定処理を行うことを特徴とする請求項１から４のうちいずれか一項に記載の紫外線測定装置。
【請求項６】
前記制御部は、
ユーザからの指示を受け付け、当該ユーザによって指示される前記測定対象に対する日焼け防止対策に関する設定値を入力する入力部をさらに備え、
前記記憶部は、
前記測定対象に対する日焼け防止対策に関する設定値を記憶し、
前記日焼け時間取得部は、
前記記憶部に前記日焼け防止に関する設定値が記憶されている場合、予め決められている標準の前記日焼け時間よりも予め決められた時間だけ長い前記日焼け時間を前記日焼け時間設定値として前記記憶部に格納する
ことを特徴とする請求項１から５のうちいずれか一項に記載の紫外線測定装置。
【請求項７】
前記制御部は、
ユーザからの指示を受け付け、当該ユーザによって指示される前記測定対象に対する日焼け防止対策に関する設定値を入力する入力部をさらに備え、
前記記憶部は、
前記測定対象に対する日焼け防止対策に関する設定値を記憶し、
前記日焼け時間取得部は、
前記記憶部に前記日焼け防止に関する設定値が記憶されていない場合、予め決められている標準の前記日焼け時間よりも予め決められた時間だけ短い前記日焼け時間を前記日焼け時間設定値として前記記憶部に格納する
ことを特徴とする請求項１から６のうちいずれか一項に記載の紫外線測定装置。
【請求項８】
ユーザからの指示を受け付け、当該ユーザによって指示される前記測定対象に対する日焼け防止対策に関する設定値を入力する入力部をさらに備え、
前記記憶部は、
前記測定対象に対する日焼け防止対策に関する設定値を記憶し、
前記制御部は、
前記記憶部に前記日焼け防止に関する設定値が記憶されているか否かを判定し、前記記憶部に前記日焼け防止に関する設定値が記憶されている場合、前記発汗判定処理を行うことを特徴とする請求項１から７のうちいずれか一項に記載の紫外線測定装置。
【請求項９】
前記制御部は、
前記紫外線センサーによって測定された前記紫外線強度が予め決められた閾値以上である場合、予め決められている標準の設定時間よりも予め決められた時間だけ短い短期設定時間毎に前記皮膚抵抗値検出部によって検出される前記皮膚抵抗値に基づき、前記発汗判定処理を行うことを特徴とする請求項１から８のうちいずれか一項に記載の紫外線測定装置。
【請求項１０】
前記制御部は、
前記紫外線センサーによって測定された前記紫外線強度が予め決められた閾値未満である場合、予め決められている標準の前記設定時間よりも予め決められた時間だけ長い長期設定時間毎に前記皮膚抵抗値検出部によって検出される前記皮膚抵抗値に基づき、前記発汗判定処理を行うことを特徴とする請求項１から９のうちいずれか一項に記載の紫外線測定装置。
【請求項１１】
前記制御部は、
予め決められた設定時間毎に前記皮膚抵抗値検出部によって検出される前記皮膚抵抗値に基づき、前記設定時間毎に前記発汗判定処理を行うことを特徴とする請求項１から９のうちいずれか一項に記載の紫外線測定装置。
【請求項１２】
前記制御部は、
前記タイマー部によって計測される前記残時間がゼロになったか否かを判定し、前記残時間がゼロになるまで前記発汗判定処理を繰り返し行うことを特徴とする請求項２から１１のうちいずれか一項に記載の紫外線測定装置。
【請求項１３】
請求項１から１２のうちいずれか一項に記載の紫外線測定装置を備えることを特徴とする電子時計。
【発明の詳細な説明】
【技術分野】
【０００１】
本発明は、紫外線強度を測定する紫外線測定装置とこれを備える電子時計に関する。
【背景技術】
【０００２】
紫外線強度を測定する紫外線測定装置を備える電子時計として、海水浴等の夏場の屋外においてユーザの皮膚に紫外線が照射された場合、計測される紫外線強度に応じて皮膚が日焼けするまでの時間を知らせる装置がある。例えば、測定した紫外線強度と、ユーザの皮膚のタイプ、あるいは日焼け止めクリームの有無などに基づいて、皮膚が日焼けするまでの時間が経過した場合にユーザに警告する紫外線強度警報装置が知られている（例えば、特許文献１参照）。
【先行技術文献】
【特許文献】
【０００３】
【特許文献１】特開平５−１４６７８５５４号公報
【発明の概要】
【発明が解決しようとする課題】
【０００４】
しかしながら、特許文献１に記載されている紫外線強度警報装置では、紫外線強度を測定して、皮膚が日焼けするまでの時間を算出した後に紫外線強度が変化した場合、一度算出した日焼けするまでの時間は変更されない。
このため、ユーザが屋内にいるときに算出された日焼けするまでの時間が設定されている場合、その後ユーザが屋内から屋外に移動する等により紫外線強度が変化するため、実際の日焼けをするまでの時間の経過後に警告がなされる問題がある。
また、長時間にわたってユーザが紫外線の強い屋外にいる場合、ユーザの汗によって日焼け止めクリームが落ちてしまい、日焼け止めの効果が低減するおそれがある。
このように、一度設定された日焼けするまでの時間が、ユーザの環境に応じて変更されない場合、実際の日焼けをするまでの時間を超過した時間が、日焼けをするまでの時間として設定され続ける問題がある。
【０００５】
本発明は、このような課題を鑑みてなされたものであり、その目的は、ユーザの実際の状況に応じて日焼けをすると推定される時間を変更できる紫外線測定装置および電子時計を提供することにある。
【課題を解決するための手段】
【０００６】
この発明は上述した課題を解決するためになされたもので、本発明の一態様による紫外線測定装置は、測定対象が発汗していると判定した場合、前記測定対象が日焼けをすると推定されるまでの時間を示す日焼け時間を、前記測定対象が発汗していないと判定した場合と比較して短縮する発汗判定処理を行う制御部とを備えたことを特徴とする。
【０００７】
上述の紫外線測定装置において、紫外線強度を測定する紫外線センサーと、前記紫外線センサーが測定した紫外線強度に基づいて、前記測定対象が日焼けをすると推定されるまでの時間を示す日焼け時間を取得し、取得した日焼け時間を日焼け時間設定値として記憶部に格納する日焼け時間算出部と、前記記憶部に格納されている日焼け時間設定値に基づいて、前記測定対象が日焼けをすると推定されるまでの残時間を計測するタイマー部と、前記測定対象の皮膚抵抗値を検出する皮膚抵抗値検出部と、をさらに備え、前記制御部は、前記皮膚抵抗値検出部によって検出される前記皮膚抵抗値の変化量と、前記測定対象が発汗していないと判定される予め決められた許容範囲とを比較し、前記皮膚抵抗値の変化量が前記許容範囲を超えた場合、前記測定対象が発汗していると判定して前記タイマーによって計測される残時間を短縮する前記発汗判定処理を行うことを特徴とする。
【０００８】
上述の紫外線測定装置において、前記記憶部は、前記タイマー部が残時間を計測する以前に前記皮膚抵抗値検出部によって検出された前記皮膚抵抗値を初期抵抗値として格納し、前記制御部は、予め決められた設定時間毎に前記皮膚抵抗値検出部によって検出される前記皮膚抵抗値と前記初期抵抗値との差分と、予め決められた閾値により規定される許容範囲とを比較し、前記差分が前記閾値未満であった場合、前記測定対象が発汗していると判定することを特徴とする。
【０００９】
上述の紫外線測定装置において、前記制御部は、前記紫外線センサーによって測定された前記紫外線強度に基づいて、前記紫外線強度が予め決められた閾値以上であった場合、前記発汗判定処理を行うことを特徴とする。
【００１０】
上述の紫外線測定装置において、前記紫外線測定装置が位置される環境の環境温度を測定する温度センサーをさらに備え、前記制御部は、前記温度センサーによって測定された前記環境温度に基づいて、前記環境温度が予め決められた閾値以上であった場合、前記発汗判定処理を行うことを特徴とする。
【００１１】
上述の紫外線測定装置において、前記制御部は、ユーザからの指示を受け付け、当該ユーザによって指示される前記測定対象に対する日焼け防止対策に関する設定値を入力する入力部をさらに備え、前記記憶部は、前記測定対象に対する日焼け防止対策に関する設定値を記憶し、前記日焼け時間取得部は、前記記憶部に前記日焼け防止に関する設定値が記憶されている場合、予め決められている標準の前記日焼け時間よりも予め決められた時間だけ長い前記日焼け時間を前記日焼け時間設定値として前記記憶部に格納することを特徴とする。
【００１２】
上述の紫外線測定装置において、前記制御部は、ユーザからの指示を受け付け、当該ユーザによって指示される前記測定対象に対する日焼け防止対策に関する設定値を入力する入力部をさらに備え、前記記憶部は、前記測定対象に対する日焼け防止対策に関する設定値を記憶し、前記日焼け時間取得部は、前記記憶部に前記日焼け防止に関する設定値が記憶されていない場合、予め決められている標準の前記日焼け時間よりも予め決められた時間だけ短い前記日焼け時間を前記日焼け時間設定値として前記記憶部に格納することを特徴とする。
【００１３】
上述の紫外線測定装置は、ユーザからの指示を受け付け、当該ユーザによって指示される前記測定対象に対する日焼け防止対策に関する設定値を入力する入力部をさらに備え、前記記憶部は、前記測定対象に対する日焼け防止対策に関する設定値を記憶し、前記制御部は、前記記憶部に前記日焼け防止に関する設定値が記憶されているか否かを判定し、前記記憶部に前記日焼け防止に関する設定値が記憶されている場合、前記発汗判定処理を行うことを特徴とする。
【００１４】
上述の紫外線測定装置において、前記制御部は、前記紫外線センサーによって測定された前記紫外線強度が予め決められた閾値以上である場合、予め決められている標準の設定時間よりも予め決められた時間だけ短い短期設定時間毎に前記皮膚抵抗値検出部によって検出される前記皮膚抵抗値に基づき、前記発汗判定処理を行うことを特徴とする。
【００１５】
上述の紫外線測定装置において、前記制御部は、前記紫外線センサーによって測定された前記紫外線強度が予め決められた閾値未満である場合、予め決められている標準の前記設定時間よりも予め決められた時間だけ長い長期設定時間毎に前記皮膚抵抗値検出部によって検出される前記皮膚抵抗値に基づき、前記発汗判定処理を行うことを特徴とする。
【００１６】
上述の紫外線測定装置において、前記制御部は、予め決められた設定時間毎に前記皮膚抵抗値検出部によって検出される前記皮膚抵抗値に基づき、前記設定時間毎に前記発汗判定処理を行うことを特徴とする。
【００１７】
上述の紫外線測定装置において、前記制御部は、前記タイマー部によって計測される前記残時間がゼロになったか否かを判定し、前記残時間がゼロになるまで前記発汗判定処理を繰り返し行うことを特徴とする。
【００１８】
また、この発明は上述した課題を解決するためになされたもので、本発明の一態様による電子時計は、上述のいずれかの紫外線測定装置を備えることを特徴とする。
【発明の効果】
【００１９】
この発明によれば、ユーザの実際の状況に応じて日焼けをすると推定される時間を変更できる。
これにより、紫外線を浴びた時間や強弱に応じて、ユーザにＵＶケアを定期的に促すことができる。また、発汗の有無によるケア時間のタイミングをユーザに知らせることができるため、日焼けに対してユーザが適切に日焼け防止対策を実施することが可能である。警告に応じてユーザが日焼け防止対策を適切に実施した場合、日焼けの限界時間を迎える前に防止対策をすることが可能なため、このような場合、ユーザが日焼けする事態を防止することができる。
【図面の簡単な説明】
【００２０】
【図１】本実施形態に係る紫外線測定装置の構成の一例について示す概略図である。
【図２】本実施形態に係る紫外線測定装置を備える電子時計の一例について説明するための概略図である。
【図３】本実施形態に係る紫外線測定装置を備える電子時計の一例について説明するための断面図である。
【図４】本発明の第１実施形態に係る紫外線測定装置における動作フローの一例を説明するためのフローチャートの一例を示す図である。
【図５】本発明の第２実施形態に係る紫外線測定装置における動作フローの一例を説明するためのフローチャートの一例を示す図である。
【図６】本発明の第３実施形態に係る紫外線測定装置における動作フローの一例を説明するためのフローチャートの一例を示す図である。
【図７】本発明の第４実施形態に係る紫外線測定装置における動作フローの一例を説明するためのフローチャートの一例を示す図である。
【図８】本発明の第５実施形態に係る紫外線測定装置における動作フローの一例を説明するためのフローチャートの一例を示す図である。
【図９】本実施形態に係る紫外線測定装置を備える電子時計の一例について説明するための断面図である。
【発明を実施するための形態】
【００２１】
［第一の実施形態］
以下、本発明の第一の実施形態について、図面を参照しながら説明する。図１は、本実施形態における紫外線測定装置の構成を示したブロック図である。図示する例では、紫外線測定装置１００は、ＣＰＵ１０１（中央処理装置、制御部、日焼け時間取得部ともいう）と、発振回路１０２と、分周回路１０３と、入力部１０４と、紫外線センサー１０５と、Ａ／Ｄ（アナログ／デジタル）変換部１０６と、時刻計測部１０７と、表示部１０８と、ＲＯＭ（Ｒｅａｄ  Ｏｎｌｙ  Ｍｅｍｏｒｙ、読み出し専用メモリ）１０９と、ＲＡＭ（Ｒａｎｄｏｍ  Ａｃｃｅｓｓ  Ｍｅｍｏｒｙ、ランダムアクセスメモリ）１１０と、タイマー１１１と、電池１１２と、皮膚抵抗値検出部１１３と、温度センサー１１４とを備える。
【００２２】
ＣＰＵ１０１は、制御部として動作し、紫外線測定装置１００が備える各部の制御を統括的に行う。
このＣＰＵ１０１は、日焼け時間取得部として動作し、紫外線センサー１０５が測定した紫外線強度に基づいて、測定対象が日焼けをすると推定される時間を示す日焼け時間を取得する。なお、測定対象が日焼けをすると推定される時間とは、例えば、皮膚にかすかな紅斑（日焼け）を生じさせるのに要する時間である。なお、このかすかな紅斑（日焼け）を生じさせるのに要する紫外線のエネルギー量は、ＭＥＤ値（最小紅斑量：Minimum Erythem a Dose）であって、紫外線の最小照射量という。なお、ＭＥＤ値は、一人ひとりの肌の性質によって値が異なり、例えば色白で日焼けに弱い人では小さく、逆に日焼けに強い人では大きな値になるので紫外線強度は同じでもＭＥＤ値は人によって違う。本実施形態においては、平均的な人に対応するＭＥＤ値が設定されている。
【００２３】
なお、ＣＰＵ１０１による日焼け時間の算出方法は、例えは特開平５−１４９７８５号公報に記載されている式１を用いて算出する方法などを利用できる。しかし、これに限定されることなく、紫外線強度に基づき日焼け時間を算出できる方法であればよく、ＣＰＵ１０１は、他の方法を利用して日焼け時間を算出するものであってもよい。
なお、ＣＰＵ１０１は、日焼け時間を算出するための計算式を保持しており、入力する紫外線強度に応じた日焼け時間を計算によって取得するものであってもよく、紫外線強度に対応する日焼け時間が予め定義されているテーブルを用いて紫外線強度に応じた日焼け時間を取得するものであってもよい。
【００２４】
また、本実施形態において、測定対象が日焼け止めクリームを塗っている場合、日焼け止めクリームによる効果を考慮して、日焼け止めをさらに塗らない場合に測定対象が日焼けをすると推定される時間を日焼け時間として予め決めておく。なお、日焼け止めクリームは時間の経過とともにその日焼け防止の効力が低下するおそれがあり、定期的に塗ることが好ましい。つまり、測定対象が日焼け止めクリームを塗っている場合、測定対象が日焼けをすると推定される日焼け時間とは、次回の日焼け止めクリームを塗るまでの時間と言い換えることができる。
【００２５】
発振回路１０２は、所定周波数の信号を出力する。
分周回路１０３は、発振回路１０２の出力信号を所定分周比で分周してＣＰＵ１０１用の基準クロック信号や計時用の時計信号を出力する。
入力部１０４は、外部から操作可能なスイッチによって構成されており、ユーザからの指示を受け付ける。入力部１０４は、受け付けた指示を示す指示信号をＣＰＵ１０１に出力する。この入力部１０４は、例えば、ユーザからの指示を受け付け、このユーザによって指示される測定対象に対する日焼け防止対策に関する設定値を入力する。この日焼け防止対策に関する設定値は、例えば、ユーザが利用する日焼け止めクリームの設定値であって、ＳＰＦ値やＰＡ値等である。
紫外線センサー１０５は、紫外線強度に応じたアナログ信号を出力する。
Ａ／Ｄ変換部１０６は、紫外線センサー１０５が出力するアナログ信号をデジタル信号に変換する。
時刻計測部１０７は、現在の日時（日付、時刻）を示す情報を出力する。
表示部１０８は、例えば、出力情報を表示画面に表示する表示装置や、出力情報を音声として出力するスピーカー、あるいは出力情報を点灯や点滅等により表わすＬＥＤ等である。この表示部１０８は、例えば、ＣＰＵ１０１によって取得された日焼け時間、紫外線強度を示す情報（測定値（μＷ／ｃｍ２）、ＵＶインデックスなど）、あるいは日時などを表示する。
【００２６】
ＲＯＭ１０９は、ＣＰＵ１０１が実行するプログラムを予め記憶している。
ＲＡＭ１１０は、紫外線測定装置１００が用いるデータを記憶する。このＲＡＭ１１０は、例えば、ＣＰＵ１０１によって取得された日焼け時間や、入力部１０４から入力する日焼け防止対策に関する設定値（例えば、日焼け止めクリームの設定値）を記憶する。
タイマー１１１は、ＣＰＵ１０１によって取得された日焼け時間から経過時間を減算して、測定対象が日焼けをすると推定される時までの残り時間を計測する。このタイマー１１１は、例えば、ＣＰＵ１０１によって動作されると、設定されている日焼け時間から経過時間を減算する処理を開始する。このタイマー１１１は、計測した残り時間を示す情報をＣＰＵ１０１に出力する。
電池１１２は、紫外線測定装置１００が備える各構成部に対して電力を供給する。
【００２７】
皮膚抵抗値検出部１１３は、導電部と接触する測定対象の皮膚抵抗値を検出し、検出した皮膚抵抗値を示す情報をＣＰＵ１０１に出力する。この皮膚抵抗値は、測定対象の発汗状態に応じて変化する。例えば、発汗している場合、皮膚と導電部の間に水分が存在する面積が大きくなるため、電極となる導電部間に通電する電流が多くなる、つまり、電極である導電部と接触している皮膚の皮膚抵抗値が小さくなる。一方、発汗していない場合、皮膚と導電部の間に水分が存在する面積が少ないため、電極となる導電部間に通電する電流が少なくなる、つまり、電極である導電部と接触している皮膚の皮膚抵抗値が大きくなる。
【００２８】
ＣＰＵ１０１は、皮膚抵抗値検出部１１３によって検出された皮膚抵抗値に基づき、発汗により測定対象が日焼けをすると推定されるまでの時間を短縮する必要があるとして予め決められている発汗量の発汗があったか否かを判定する。例えば、日焼け止めクリームの日焼け防止の効力が低減する発汗量や、この日焼け防止の効力が低減したときに、測定対象が日焼けをすると推定されるまでの時間を、予め実験やシミュレーションあるいは経験値に基づき求めておく。本実施形態において、日焼け止めクリームの日焼け防止の効力が低減する発汗量の変化が生じた場合に対応する皮膚抵抗値の変化量を、皮膚抵抗値閾値としてＲＡＭ１１０に記憶しておく。
なお、日焼け止めクリームの日焼け防止の効力が低減する発汗量の変化に対応する皮膚抵抗値の変化量を皮膚抵抗値閾値として規定することにより、汗っかきの人とあまり汗をかかない人との個人差による影響を低減することが期待できる。
また、発汗により測定対象が日焼けをすると推定されるまでの時間を短縮する必要があるとして予め決められている発汗量の発汗があったことを、以下、単に一定の発汗があったという。
【００２９】
このＣＰＵ１０１は、一定の発汗があったと判定できる範囲として予め決められている皮膚抵抗値の範囲内に、皮膚抵抗値検出部１１３によって検出された皮膚抵抗値が該当するか否かを比較する。皮膚抵抗値検出部１１３によって検出された皮膚抵抗値が当該範囲内に該当する場合、ＣＰＵ１０１は、測定対象において一定の発汗があったと判定して、タイマー１１１によって計測される残り時間から予め決められた時間を減じる発汗判定処理を行う。
なお、発汗判定処理とは、皮膚抵抗値に基づき、一定の発汗があったか否かを判定し、一定の発汗があったと判定された場合、タイマー１１１によって計測される残り時間から予め決められた時間を減じる（つまり、設定されている日焼け時間を短縮する）処理をいう。
本実施形態において、ＣＰＵ１０１は、日焼け止めクリームの日焼け防止の効力が低減する発汗量の変化が生じた場合に対応する皮膚抵抗値を示す皮膚抵抗値閾値と、初期の皮膚抵抗値から現在の皮膚抵抗値への変化量とを比較する。現在の皮膚抵抗値の変化量が皮膚抵抗値閾値以上であった場合、ＣＰＵ１０１は、一定の発汗があったと判定できる範囲として予め決められている皮膚抵抗値の範囲内に、現在の皮膚抵抗値が該当すると判定する。
【００３０】
次に、図２，３を参照して、図１に示した本実施形態に係る紫外線計測装置１００を備える電子時計２００の一例について説明する。
図２は、本実施形態に係る紫外線測定装置１００を備える電子時計２００の一例を示す図である。
図２は、時計の文字盤がみえる側を電子時計２００の表面とした場合、この電子時計２００の裏面から見た図である。この文字盤の裏側には、電池蓋２０１と裏蓋２０２が取り付けられている。また、時計の両側には、バンド２０３が取り付けられている。このバンド２０３の裏面には、導電ゴム２０４，２０５が取り付けられている。この導電ゴム２０４，２０５は、皮膚抵抗値検出部１１３の導電部に相当する構成であり、ユーザが電子時計２００を腕に装着した状態で、皮膚と接触する位置に取り付けられている。
【００３１】
図３は、この電子時計２００の一部の断面を示す図である。
図３に示す通り、導電ゴム２０４，２０５は、ＣＰＵ１０１や皮膚抵抗値検出部１１３を搭載する回路基板２０６と電極接点部２０７を介して電気的に接続されている。この回路基板２０６と導電ゴム２０４，２０５は、ネジ２０８を介して固定されている。
【００３２】
次に、本実施形態における紫外線測定装置１００の動作について説明する。図４は、本実施形態における紫外線測定装置１００の動作の一例を示したフローチャートである。
（ステップＳＴ１）
例えば、紫外線測定装置１００を備える腕時計型の電子時計２００あるいは後述する３００をユーザが装着している状態において、入力部１０４を介してユーザから初期情報の設定が指示される。この指示を示す指示信号を入力部１０４がＣＰＵ１０１に出力すると、ＣＰＵ１０１は、皮膚抵抗値検出部１１３に対して皮膚抵抗値の検出を指示する。
そして、皮膚抵抗値検出部１１３は、測定対象であるユーザの皮膚と接触している導電ゴム２０４，２０５に対して電流を流し、導電ゴム２０４，２０５との間に介在しているユーザの皮膚の抵抗を検出する。この皮膚抵抗値検出部１１３は、検出した抵抗である皮膚抵抗値をＣＰＵ１０１に出力する。そして、ＣＰＵ１０１は、この皮膚抵抗値を初期の皮膚抵抗値ＳＲ0としてＲＡＭ１１０に記憶させる。
また、ＣＰＵ１０１は、皮膚抵抗値検出部１１３から皮膚抵抗値を入力した際に時刻計測部１０７によって計時された時刻を取得し、当該時刻を示す時刻情報を皮膚抵抗値ＳＲ0に対応付けてＲＡＭ１１０に記憶させる。
【００３３】
（ステップＳＴ２）
次いで、紫外線センサー１０５は、紫外線強度に応じたアナログ信号をＡ／Ｄ変換部１０６に出力する。このＡ／Ｄ変換部１０６は、入力されたアナログ信号をデジタル信号に変換してＣＰＵ１０１に出力する。このＣＰＵ１０１は、入力されたデジタル信号に基づいて紫外線強度を算出し、時刻計測部１０７が出力する現在の時刻と対応付けてＲＡＭ１１０に記憶させる。
【００３４】
（ステップＳＴ３）
ＣＰＵ１０１は、ＲＡＭ１１０から紫外線強度を読み出し、この紫外線強度に基づいて、日焼けをすると推定されるまでの日焼け時間を取得する。例えば、ＣＰＵ１０１は、日焼け時間ｔ１を示す日焼け時間設定値をＲＡＭ１１０に設定する。なお、日焼け時間の取得方法はどのような方法を用いてもよい。
【００３５】
（ステップＳＴ４）
そして、ＣＰＵ１０１は、タイマー１１１を作動させる。このタイマー１１１は、ＲＡＭ１１０に設定されている日焼け時間設定値に基づき、日焼け時間ｔ１をカウントダウンすることにより日焼けをすると推定されるまでの残り時間を計測する。なお、ＣＰＵ１０１は、ここで、タイマー１１１が計測する日焼けをすると推定されるまでの残り時間を、表示部１０８に表示させるように制御してもよい。
【００３６】
（ステップＳＴ５）
そして、ＣＰＵ１０１は、タイマー１１１が計測する日焼けをすると推定されるまでの残り時間が「０」であるか否かを判定する。タイマー１１１が計測する日焼けをすると推定されるまでの残り時間が「０」であると判定した場合、ＣＰＵ１０１はステップＳＴ１１の処理に進み、それ以外の場合にはステップＳＴ６の処理に進む。
【００３７】
（ステップＳＴ６）
ＣＰＵ１０１は、時刻計測部１０７が出力する現在の時刻と、ＲＡＭ１１０に記憶されている皮膚抵抗値と対応付けられている最新の時刻とに基づいて、皮膚抵抗値と対応付けられている最新の時刻から設定時間であるｎ分が経過したか否かを判定する。例えば、皮膚抵抗値ＳＲ0と対応付けられている時刻情報の時刻が最新である場合、ＣＰＵ１０１は、この時刻からｎ分が経過したか否かを判定する。
時刻計測部１０７が出力する現在の時刻が、ＲＡＭ１１０に記憶されている皮膚抵抗値と対応付けられている最新の時刻からｎ分経過していると判定した場合、ＣＰＵ１０１は、ステップＳＴ７の処理に進む。一方、それ以外の場合、ＣＰＵ１０１は、ステップＳＴ６の処理を継続し、ｎ分が経過するまで待機する。なお、設定時間ｎは、予め決められた時間がＲＡＭ１１０に設定されているものであってもよく、ユーザの指定により任意の時間に変更できるようにしてもよい。
【００３８】
（ステップＳＴ７）
ステップＳＴ６において、皮膚抵抗値と対応付けられている最新の時刻から設定時間であるｎ分が経過した場合、皮膚抵抗値検出部１１３は、測定対象であるユーザの皮膚と接触している導電ゴム２０４，２０５に対して電流を流し、導電ゴム２０４，２０５を介在しているユーザの皮膚の抵抗を検出し、この検出された皮膚抵抗値ＳＲ1をＣＰＵ１０１に出力する。そして、ＣＰＵ１０１は、この皮膚抵抗値ＳＲ1をＲＡＭ１１０に記憶させる。
また、ＣＰＵ１０１は、皮膚抵抗値検出部１１３から皮膚抵抗値ＳＲ1を入力した際に時刻計測部１０７によって計時された時刻を取得し、当該時刻を示す時刻情報を皮膚抵抗値ＳＲ1に対応付けてＲＡＭ１１０に記憶させる。
【００３９】
（ステップＳＴ８）
そして、ＣＰＵ１０１は、ＲＡＭ１１０から初期の皮膚抵抗値ＳＲ0と最新の皮膚抵抗値ＳＲnとを比較して、その差分（ＳＲ0−ＳＲn）が予め決められている皮膚抵抗閾値未満であるか否かを判定する。なお、ＣＰＵ１０１は、皮膚抵抗値ＳＲnに対応付けられている時刻情報に基づき、最新の皮膚抵抗値ＳＲnを特定することができる。なお、この予め決められている皮膚抵抗閾値は、当該皮膚抵抗閾値として予め決められた値がＲＡＭ１１０に設定されているものであってもよく、ユーザの指定により任意の値に変更できるようにしてもよい。
【００４０】
（ステップＳＴ９）
初期の皮膚抵抗値ＳＲ0と最新の皮膚抵抗値ＳＲnとの差分（ＳＲ0−ＳＲn）が予め決められている皮膚抵抗閾値以上である場合（ステップＳＴ８−ＹＥＳ）、ＣＰＵ１０１は、測定対象において一定の発汗があったと判定し、日焼け時間を短縮する。例えば、ＣＰＵ１０１は、測定対象において一定の発汗があったと判定した場合、タイマー１１１が計測した現在の残り時間を、現時点におけるタイマー１１１が計測した残り時間から予め決められた時間を減算した時間へ変更する。そして、ＣＰＵ１０１は、ステップＳＴ５に戻る。
【００４１】
（ステップＳＴ１０）
一方、初期の皮膚抵抗値ＳＲ0と最新の皮膚抵抗値ＳＲnとの差分（ＳＲ0−ＳＲn）が予め決められている皮膚抵抗閾値未満である場合（ステップＳＴ８−ＮＯ）、ＣＰＵ１０１は、測定対象における一定の発汗がなかったと判定し、ステップＳＴ５に戻る。
ステップＳＴ９あるいはステップＳＴ１０の後ステップＳＴ５に戻ると、ＣＰＵ１０１は、タイマー１１１が計測する残り時間が「０」でないか否かを判定する。最新の皮膚抵抗値ＳＲ1に対応付けられている時刻情報が示す時刻からｎ分が経過した場合、再び発汗判定処理を実行する。
なお、ステップＳＴ７〜９の処理あるいはステップＳＴ７、８、１０の処理を、発汗判定処理という。
【００４２】
（ステップＳＴ１１）
上述のステップＳＴ５において、タイマー１１１が計測する日焼けをすると推定されるまでの残り時間が「０」であるとＣＰＵ１０１が判定した場合、ＣＰＵ１０１は、例えば、日焼け時間が経過したことを警告する表示を表示部１０８に表示させる。その後、処理を終了する。なお、日焼け時間が経過したことを警告する方法として、紫外線測定装置１００が音声出力部を備え、音声を用いて警告を行うようにしてもよい。また、ＣＰＵ１０１は、「日焼け止めクリームを塗ってください」あるいは「日焼けに注意してください」等の日焼け時間が経過したことによってユーザに通知すべき情報を出力するものであってもよい。
（ステップＳＴ１２）
次いで、入力部１０４を介してユーザから警告の解除が指示されると、ＣＰＵ１０１は、ステップＳＴ２に戻って上述と同様の処理を繰り返す。
【００４３】
上述したとおり、本実施形態によれば、設定時間毎に現在の皮膚抵抗値ＳＲnを測定し、初期の皮膚抵抗値ＳＲ0から現在の皮膚抵抗値ＳＲnへの変化量（差分）を皮膚抵抗閾値と比較している。そして、初期の皮膚抵抗値ＳＲ0と現在の皮膚抵抗値ＳＲnとの差分が皮膚抵抗閾値以上となった場合、日焼け止めクリームが汗によって落ちるほどの発汗があると判定する。この場合、通常の使用態様に比べて日焼け止めクリームの効果を維持できる時間が縮まっているおそれがある。そこで、本実施形態に係る紫外線測定装置１００は、初期の皮膚抵抗値ＳＲ0と現在の皮膚抵抗値ＳＲnとの差分が皮膚抵抗閾値以上となった場合、タイマー１１１によって測定される残り時間を短縮する。これにより、発汗量の変化に応じて、日焼け時間を短縮することができる。
【００４４】
例えば、日焼け止めクリームを塗ったユーザが、デパートでのショッピングをした場合、屋内と屋外を行ったりきたりするため、断続的に発汗している。一方、長時間屋外にいた場合、継続的に発汗している。この２つのケースを比較した場合、同じＳＰＦ値の日焼け止めクリームを塗っていたとしても、長時間屋外にいた場合の方が、発汗量が多く、自分の汗によって日焼け止めクリームが落ちてしまい、日焼け止めクリームの効果が低減しているおそれがある。
このような問題に対して、本実施形態に係る紫外線測定装置１００は、発汗量の変化に応じてタイマー１１１によって計測される日焼け時間を短縮することができる。よって、自分の汗によって日焼け止めクリームが落ちてしまい、日焼け止めクリームの効果が低減しているおそれがある場合であっても、日焼け止めクリームを塗り直すタイミングに到達したことを通知する間隔を短縮することができる。これにより、ユーザは、紫外線測定装置１００が通知する警告に従って日焼け止めクリームを定期的に塗り直すことができる。また、ユーザは、発汗量が多いときは、発汗量が少ないときに比べて短い間隔で、日焼け止めクリームを塗り直す警告を受けることができる。
【００４５】
［第２実施形態］
以下、本発明の第２実施形態について、図面を参照しながら説明する。本実施形態の紫外線測定装置１００の構成は、第１実施形態における紫外線測定装置１００の構成と同様の構成であるため、その説明を省略する。本実施形態の紫外線測定装置１００は、設定時間毎に紫外線強度が閾値以上であるか否かを判定し、紫外線強度が閾値以上である場合に、発汗判定処理を実行する点が、第１実施形態に係る紫外線測定装置１００と異なる。
【００４６】
図５を参照して、本実施形態に係る紫外線測定装置１００の動作（発汗判定処理）の一例について説明する。図５は、本実施形態に係る紫外線測定装置１００の動作を示したフローチャートである。なお、発汗判定処理以外の処理については、図４における説明と同様であるため、説明を省略する。つまり、図４に示すステップＳＴ７〜ＳＴ１０の発汗判定処理に換えて、図５に示す動作フローを適用することができる。
【００４７】
（ステップＳＴ１１１）
紫外線センサー１０５は、紫外線強度に応じたアナログ信号をＡ／Ｄ変換部１０６に出力する。このＡ／Ｄ変換部１０６は、入力されたアナログ信号をデジタル信号に変換してＣＰＵ１０１に出力する。このＣＰＵ１０１は、入力されたデジタル信号に基づいて紫外線強度を算出する。
【００４８】
（ステップＳＴ１１２）
そして、ＣＰＵ１０１は、発汗判定処理が必要な紫外線強度として予め決められている紫外線強度閾値をＲＡＭ１１０から読み出し、Ａ/Ｄ変換部１０６から入力したデジタル信号に基づく紫外線強度と紫外線強度閾値とを比較する。この紫外線強度閾値は、初期の紫外線強度に基づき算出された日焼け時間よりも計測対象が日焼けすると推定される時間が短縮すると予め決められている紫外線強度であって、紫外線強度に対応する気温における平均的な人間の発汗量に応じて実験的に求めることができる。なお、この紫外線強度閾値は、予め決められた紫外線強度がＲＡＭ１１０に設定されているものであってもよく、ユーザの指定により任意の紫外線強度に変更できるようにしてもよい。
【００４９】
（ステップＳＴ１１３）
Ａ/Ｄ変換部１０６から入力したデジタル信号に基づく紫外線強度が紫外線強度閾値以上であった場合、皮膚抵抗値検出部１１３は、測定対象であるユーザの皮膚と接触している導電ゴム２０４，２０５に対して電流を流し、導電ゴム２０４，２０５を介在しているユーザの皮膚の抵抗を検出し、この検出された皮膚抵抗値ＳＲnをＣＰＵ１０１に出力する。
【００５０】
（ステップＳＴ１１４）
そして、ＣＰＵ１０１は、ＲＡＭ１１０から初期の皮膚抵抗値ＳＲ0を読み出し、ステップＳＴ１１３において検出した最新の皮膚抵抗値ＳＲnとを比較して、その差分（ＳＲ0−ＳＲn）が予め決められている皮膚抵抗閾値未満であるか否かを判定する。なお、この予め決められている皮膚抵抗閾値は、予め決められた時間がＲＡＭ１１０に設定されているものであってもよく、ユーザの指定により任意の時間に変更できるようにしてもよい。
【００５１】
（ステップＳＴ１１５）
初期の皮膚抵抗値ＳＲ0と最新の皮膚抵抗値ＳＲnとの差分（ＳＲ0−ＳＲn）が予め決められている皮膚抵抗閾値以上である場合、ＣＰＵ１０１は、測定対象において一定の発汗があったと判定し、設定されている日焼け時間を予め決められた時間だけ短縮する。例えば、ＣＰＵ１０１は、測定対象において一定の発汗があったと判定した場合、タイマー１１１が計測した現在の残り時間を、現時点においてタイマー１１１が計測した残り時間から予め決められた時間を減算した時間に変更する。そして、ＣＰＵ１０１は、発汗判定処理を終了し、図４のステップＳＴ５に戻る。
【００５２】
（ステップＳＴ１１６）
一方、初期の皮膚抵抗値ＳＲ0と最新の皮膚抵抗値ＳＲnとの差分（ＳＲ0−ＳＲn）が予め決められている閾値未満である場合、ＣＰＵ１０１は、測定対象において一定の発汗がなかったと判定する。そして、ＣＰＵ１０１は、発汗判定処理を終了し、図４のステップＳＴ５に戻る。
【００５３】
上述したとおり、本実施形態によれば、予め決められた設定時間毎に紫外線強度が閾値以上であるか否かが判定され、紫外線強度が閾値以上になった場合に、発汗判定処理を実行することができる。これにより、本実施形態に係る紫外線測定装置１００は、屋外にいるユーザが継続的に紫外線にさらされている場合、設定時間毎に発汗判定処理を実行することができる。一方、ユーザが長時間にわたって屋内にいる場合、設定時間に到達した場合であっても、紫外線強度が閾値未満である場合は発汗判定処理を実行しない。
このように、ユーザが日焼けしやすい環境にいるか否かを紫外線強度に基づき判定することによって、発汗判定処理の実行タイミングを、ユーザの環境に応じて変更することができる。
【００５４】
なお、本実施形態は上述の例に限定されない。例えば、複数の紫外線強度閾値を設定する構成であってもよい。この場合、例えば、複数の紫外線強度閾値に応じて、タイマーの残り時間から減じる時間を複数設定してもよい。これにより、検出された紫外線強度に応じて、日焼け時間を短縮することができる。
【００５５】
［第３実施形態］
以下、本発明に係る第３実施形態について、図面を参照しながら説明する。本実施形態の紫外線測定装置１００の構成は、第１実施形態における紫外線測定装置１００の構成と同様の構成であるため、その説明を省略する。本実施形態の紫外線測定装置１００は、設定時間毎に気温が閾値以上であるか否かを判定し、気温が閾値以上である場合に、発汗判定処理を実行する点が、第１実施形態に係る紫外線測定装置１００と異なる。
【００５６】
図６を参照して、本実施形態に係る紫外線測定装置１００の動作（発汗判定処理）の一例について説明する。図６は、本実施形態に係る紫外線測定装置１００の動作を示したフローチャートである。なお、発汗判定処理以外の処理については、図４における説明と同様であるため、説明を省略する。つまり、図４に示すステップＳＴ７〜ＳＴ１０の発汗判定処理に換えて、図６に示す動作フローを適用することができる。
【００５７】
（ステップＳＴ１２１）
温度センサー１１４は、気温に応じたアナログ信号をＡ／Ｄ変換部１０６に出力する。このＡ／Ｄ変換部１０６は、入力されたアナログ信号をデジタル信号に変換してＣＰＵ１０１に出力する。このＣＰＵ１０１は、入力されたデジタル信号に基づいて気温を算出する。
【００５８】
（ステップＳＴ１２２）
そして、ＣＰＵ１０１は、発汗判定処理が必要な気温として予め決められている設定気温閾値をＲＡＭ１１０から読み出し、Ａ/Ｄ変換部１０６から入力したデジタル信号に基づく気温と設定気温閾値とを比較する。この設定気温閾値は、初期の紫外線強度に基づき算出された日焼け時間よりも計測対象が日焼けすると推定される時間が短縮すると予め決められている閾値である。つまり、測定対象に照射される紫外線量を測定対象が存在する環境の気温に基づき推定し、測定対象に照射される紫外線量が増加するおそれがある場合、日焼け時間を短縮するものである。また、言い換えると、気温が上昇してより多くの汗をかくと、発汗量が少ない場合に比べて日焼け止めクリームの効果が維持できる時間が縮まっているおそれがあるため、発汗量の変化に応じて、日焼け時間を短縮するものである。
なお、この設定気温閾値は、予め決められた気温がＲＡＭ１１０に設定されているものであってもよく、ユーザの指定により任意の気温に変更できるようにしてもよい。
【００５９】
（ステップＳＴ１２３）
Ａ/Ｄ変換部１０６から入力したデジタル信号に基づく気温が設定気温閾値以上であった場合、皮膚抵抗値検出部１１３は、測定対象であるユーザの皮膚と接触している導電ゴム２０４，２０５に対して電流を流し、導電ゴム２０４，２０５を介在しているユーザの皮膚の抵抗を検出し、この検出された皮膚抵抗値ＳＲnをＣＰＵ１０１に出力する。
【００６０】
（ステップＳＴ１２４）
そして、ＣＰＵ１０１は、ＲＡＭ１１０から初期の皮膚抵抗値ＳＲ0を読み出し、ステップＳＴ１２３において検出した最新の皮膚抵抗値ＳＲnとを比較して、その差分（ＳＲ0−ＳＲn）が予め決められている皮膚抵抗閾値未満であるか否かを判定する。なお、この予め決められている皮膚抵抗閾値は、予め決められた時間がＲＡＭ１１０に設定されているものであってもよく、ユーザの指定により任意の時間に変更できるようにしてもよい。
【００６１】
（ステップＳＴ１２５）
初期の皮膚抵抗値ＳＲ0と最新の皮膚抵抗値ＳＲnとの差分（ＳＲ0−ＳＲn）が予め決められている皮膚抵抗閾値以上である場合、ＣＰＵ１０１は、測定対象において一定の発汗があったと判定し、設定されている日焼け時間を予め決められた時間だけ短縮する。例えば、ＣＰＵ１０１は、測定対象において一定の発汗があったと判定した場合、タイマー１１１が計測した現在の残り時間を、現時点においてタイマー１１１が計測した残り時間から予め決められた時間を減算した時間に変更する。そして、ＣＰＵ１０１は、発汗判定処理を終了し、図４のステップＳＴ５に戻る。
【００６２】
（ステップＳＴ１２６）
一方、初期の皮膚抵抗値ＳＲ0と最新の皮膚抵抗値ＳＲnとの差分（ＳＲ0−ＳＲn）が予め決められている閾値未満である場合、ＣＰＵ１０１は、測定対象において一定の発汗がなかったと判定する。そして、ＣＰＵ１０１は、発汗判定処理を終了し、図４のステップＳＴ５に戻る。
【００６３】
上述したとおり、本実施形態によれば、予め決められた設定時間毎に気温が閾値以上であるか否かが判定され、気温が閾値以上になった場合に、発汗判定処理を実行することができる。これにより、本実施形態に係る紫外線測定装置１００は、紫外線センサー１０５の紫外線強度の検出面が衣類等の遮断物によって遮光されている場合であっても、紫外線測定装置１００が存在する環境の気温に応じて日焼け時間を変更することができる。
例えば、本実施形態に係る紫外線測定装置１００は、屋外にいるユーザが継続的に紫外線にさらされている場合は気温が閾値以上になっている場合が多い。この場合、紫外線センサー１０５によって紫外線強度が計測できない状況にあったとしても、設定時間毎に発汗判定処理を実行することができる。一方、ユーザが長時間にわたって屋内にいる場合は気温が閾値未満になっている場合が多い。この場合、設定時間毎に到達した場合であっても、発汗判定処理を実行しない。
このように、ユーザが日焼けしやすい環境にいるか否かを気温に基づき判定することによって、発汗判定処理の実行タイミングを、ユーザの環境に応じて変更することができる。
【００６４】
なお、本実施形態は上述の例に限定されない。例えば、複数の設定気温閾値を設定する構成であってもよい。この場合、例えば、複数の設定気温閾値に応じて、タイマーの残り時間から減じる時間を複数設定してもよい。これにより、検出された気温に応じて、日焼け時間を短縮することができる。
【００６５】
［第４実施形態］
以下、本発明の第４実施形態について、図面を参照しながら説明する。本実施形態の紫外線測定装置１００の構成は、第１実施形態における紫外線測定装置１００の構成と同様の構成であるため、その説明を省略する。本実施形態の紫外線測定装置１００は、設定時間毎に紫外線強度が閾値以上であるか否かを判定し、紫外線強度が閾値以上である場合に、設定時間を紫外線強度に応じて変更する点が、第１実施形態に係る紫外線測定装置１００と異なる。
【００６６】
図７を参照して、本実施形態に係る紫外線測定装置１００の動作（発汗判定処理）の一例について説明する。図７は、本実施形態に係る紫外線測定装置１００の動作を示したフローチャートである。なお、発汗判定処理以外の処理については、図４における説明と同様であるため、説明を省略する。つまり、図４に示すステップＳＴ７〜ＳＴ１０の発汗判定処理に換えて、図７に示す動作フローを適用することができる。
【００６７】
（ステップＳＴ１３１）
紫外線センサー１０５は、紫外線強度に応じたアナログ信号をＡ／Ｄ変換部１０６に出力する。このＡ／Ｄ変換部１０６は、入力されたアナログ信号をデジタル信号に変換してＣＰＵ１０１に出力する。このＣＰＵ１０１は、入力されたデジタル信号に基づいて紫外線強度を算出する。
【００６８】
（ステップＳＴ１３２）
そして、ＣＰＵ１０１は、発汗判定処理が必要な紫外線強度として予め決められている紫外線強度閾値をＲＡＭ１１０から読み出し、Ａ/Ｄ変換部１０６から入力したデジタル信号に基づく紫外線強度と紫外線強度閾値とを比較する。この紫外線強度閾値は、初期の紫外線強度に基づき算出された日焼け時間よりも計測対象が日焼けすると推定される時間が短縮すると予め決められている紫外線強度であって、紫外線強度に対応する気温における平均的な人間の発汗量に応じて実験的に求めることができる。なお、この紫外線強度閾値は、予め決められた紫外線強度がＲＡＭ１１０に設定されているものであってもよく、ユーザの指定により任意の紫外線強度に変更できるようにしてもよい。
【００６９】
（ステップＳＴ１３３）
Ａ/Ｄ変換部１０６から入力したデジタル信号に基づく紫外線強度が紫外線強度閾値以上であった場合、ＣＰＵ１０１は、紫外線測定装置１００を備える電子時計２００あるいは３００は屋外環境に存在していると判定する。
【００７０】
（ステップＳＴ１３４）
そして、ＣＰＵ１０１は、ＲＡＭ１１０に設定されている設定時間ｎを、短期の発汗判定周期として予め決められている設定時間ｎｓに変更する。なお、あとで説明するが、短期の発汗判定周期は、長期の発汗判定周期に比べて短い間隔で発汗判定を行うための設定時間のことをいう。なお、この短期の発汗判定周期を示す設定時間ｎｓは、予め決められた時間がＲＡＭ１１０に保存されており、ＣＰＵ１０１がこの設定時間ｎｓを示す情報を読み出して設定されるものであってもよい。また、ユーザの指定により任意の設定時間ｎｓに変更できるようにしてもよい。
【００７１】
（ステップＳＴ１３５）
一方、Ａ/Ｄ変換部１０６から入力したデジタル信号に基づく紫外線強度が紫外線強度閾値未満であった場合、ＣＰＵ１０１は、紫外線測定装置１００を備える電子時計２００あるいは３００は屋内環境に存在していると判定する。
【００７２】
（ステップＳＴ１３６）
そして、ＣＰＵ１０１は、ＲＡＭ１１０に設定されている設定時間ｎを、長期の発汗判定周期として予め決められている設定時間ｎｌに変更する。なお、上述の通り、長期の発汗判定周期は、短期の発汗判定周期に比べて長い間隔で発汗判定を行うための設定時間のことをいう。なお、この長期の発汗判定周期を示す設定時間ｎｌは、予め決められた時間がＲＡＭ１１０に保存されており、ＣＰＵ１０１がこの設定時間ｎｌを示す情報を読み出して設定されるものであってもよい。また、ユーザの指定により任意の設定時間ｎｌに変更できるようにしてもよい。
【００７３】
（ステップＳＴ１３７）
そして、皮膚抵抗値検出部１１３は、測定対象であるユーザの皮膚と接触している導電ゴム２０４，２０５に対して電流を流し、導電ゴム２０４，２０５を介在しているユーザの皮膚の抵抗を検出し、この検出された皮膚抵抗値ＳＲnをＣＰＵ１０１に出力する。
【００７４】
（ステップＳＴ１３８）
次いで、ＣＰＵ１０１は、ＲＡＭ１１０から初期の皮膚抵抗値ＳＲ0を読み出し、ステップＳＴ１３７において検出した最新の皮膚抵抗値ＳＲnとを比較して、その差分（ＳＲ0−ＳＲn）が予め決められている皮膚抵抗閾値未満であるか否かを判定する。なお、この予め決められている皮膚抵抗閾値は、予め決められた時間がＲＡＭ１１０に設定されているものであってもよく、ユーザの指定により任意の時間に変更できるようにしてもよい。
【００７５】
（ステップＳＴ１３９）
初期の皮膚抵抗値ＳＲ0と最新の皮膚抵抗値ＳＲnとの差分（ＳＲ0−ＳＲn）が予め決められている皮膚抵抗閾値以上である場合、ＣＰＵ１０１は、測定対象において一定の発汗があったと判定し、設定されている日焼け時間を予め決められた時間だけ短縮する。例えば、ＣＰＵ１０１は、測定対象において一定の発汗があったと判定した場合、タイマー１１１が計測した現在の残り時間を、現時点においてタイマー１１１が計測した残り時間から予め決められた時間を減算した時間に変更する。そして、ＣＰＵ１０１は、発汗判定処理を終了し、図４のステップＳＴ５に戻る。
【００７６】
（ステップＳＴ１４０）
一方、初期の皮膚抵抗値ＳＲ0と最新の皮膚抵抗値ＳＲnとの差分（ＳＲ0−ＳＲn）が予め決められている閾値未満である場合、ＣＰＵ１０１は、測定対象において一定の発汗がなかったと判定する。そして、ＣＰＵ１０１は、発汗判定処理を終了し、図４のステップＳＴ５に戻る。
【００７７】
上述したとおり、本実施形態によれば、予め決められた設定時間毎に紫外線強度が閾値以上であるか否かが判定され、紫外線強度が閾値以上になった場合に、発汗判定周期である設定時間を短縮することができる。一方、紫外線強度が閾値未満になった場合に、発汗判定周期である設定時間を延長することができる。これにより、本実施形態に係る紫外線測定装置１００は、屋外にいるユーザが継続的に紫外線にさらされている場合、短い周期である設定時間ｎｓ毎に発汗判定処理を実行することができる。一方、ユーザが長時間にわたって屋内にいる場合、長い周期である設定時間ｎｌ毎に発汗判定処理を実行することができる。
このように、ユーザが日焼けしやすい環境にいるか否かを紫外線強度に基づき判定することによって、発汗判定処理の実行間隔を、ユーザの環境に応じて変更することができる。
なお、本実施形態は上述の例に限定されない。例えば、複数の紫外線強度閾値を設定する構成であってもよい。この場合、例えば、複数の紫外線強度閾値に応じて、複数の設定時間を設定してもよい。
【００７８】
［第５実施形態］
以下、本発明の第５実施形態について、図面を参照しながら説明する。本実施形態の紫外線測定装置１００の構成は、第１実施形態における紫外線測定装置１００の構成と同様の構成であるため、その説明を省略する。本実施形態の紫外線測定装置１００は、日焼け止めクリームの設定値が設定されている場合、つまり、日焼け防止対策がユーザに対して施されていることが紫外線測定装置１００に対して設定されている場合、発汗判定処理を実行する点が、第１実施形態に係る紫外線測定装置１００と異なる。
【００７９】
図８を参照して、本実施形態に係る紫外線測定装置１００の動作の一例について説明する。図８は、本実施形態に係る紫外線測定装置１００の動作の一例を示したフローチャートである。なお、発汗判定処理の処理については、図４〜７に示す発汗判定処理が適用可能である。
【００８０】
（ステップＳＴ１５１）
例えば、紫外線測定装置１００を備える腕時計型の電子時計２００あるいは３００をユーザが装着している状態において、入力部１０４を介してユーザから初期情報の設定が指示される。この指示を示す指示信号を入力部１０４がＣＰＵ１０１に出力すると、ＣＰＵ１０１は、皮膚抵抗値検出部１１３に対して皮膚抵抗値の検出を指示する。
そして、皮膚抵抗値検出部１１３は、測定対象であるユーザの皮膚と接触している導電ゴム２０４，２０５に対して電流を流し、導電ゴム２０４，２０５との間に介在しているユーザの皮膚の抵抗を検出する。この皮膚抵抗値検出部１１３は、検出した抵抗である皮膚抵抗値をＣＰＵ１０１に出力する。そして、ＣＰＵ１０１は、この皮膚抵抗値を初期の皮膚抵抗値ＳＲ0としてＲＡＭ１１０に記憶させる。
また、ＣＰＵ１０１は、皮膚抵抗値検出部１１３から皮膚抵抗値を入力した際に時刻計測部１０７によって計時された時刻を取得し、当該時刻を示す時刻情報を皮膚抵抗値ＳＲ0に対応付けてＲＡＭ１１０に記憶させる。
【００８１】
（ステップＳＴ１５２）
次いで、紫外線センサー１０５は、紫外線強度に応じたアナログ信号をＡ／Ｄ変換部１０６に出力する。このＡ／Ｄ変換部１０６は、入力されたアナログ信号をデジタル信号に変換してＣＰＵ１０１に出力する。このＣＰＵ１０１は、入力されたデジタル信号に基づいて紫外線強度を算出し、時刻計測部１０７が出力する現在の時刻と対応付けてＲＡＭ１１０に記憶させる。
【００８２】
（ステップＳＴ１５３）
ＣＰＵ１０１は、ＲＡＭ１１０に日焼け止めクリームの設定値が保存されているか否かを判定する。
（ステップＳＴ１５４）
ＲＡＭ１１０に日焼け止めクリームの設定値が保存されている場合、ＣＰＵ１０１は、ＲＡＭ１１０からステップＳＴ１５２において検出された紫外線強度を読み出し、この紫外線強度と日焼け止めクリームの設定値に基づいて、日焼けをすると推定されるまでの日焼け時間を取得する。本実施形態において、日焼け時間は、紫外線強度に応じて予め決められている。さらに、紫外線強度に対応する日焼け時間としては、日焼け止めクリームの設定値の有無に応じて、日焼け防止対策あり時の日焼け時間と、日焼け防止対策なし時の日焼け時間とが設定されている。
例えば、ＣＰＵ１０１は、日焼け防止対策あり時の日焼け時間ｔ２を示す日焼け時間設定値をＲＡＭ１１０に設定する。なお、日焼け時間の取得方法はどのような方法を用いてもよい。
【００８３】
（ステップＳＴ１５５）
そして、ＣＰＵ１０１は、タイマー１１１を作動させる。このタイマー１１１は、ＲＡＭ１１０に設定されている日焼け防止対策あり時の日焼け時間設定値に基づき、日焼け時間ｔ２をカウントダウンすることにより日焼けをすると推定されるまでの残り時間を計測する。なお、ＣＰＵ１０１は、ここで、タイマー１１１が計測する日焼けをすると推定されるまでの残り時間を、表示部１０８に表示させるように制御してもよい。
【００８４】
（ステップＳＴ１５６）
そして、ＣＰＵ１０１は、タイマー１１１が日焼け防止対策あり時の日焼け時間ｔ２をカウントダウンした残り時間が「０」であるか否かを判定する。日焼け防止対策あり時の日焼け時間ｔ２をカウントダウンした残り時間が「０」であると判定した場合、ＣＰＵ１０１はステップＳＴ１５９の処理に進み、それ以外の場合にはステップＳＴ１５７の処理に進む。
【００８５】
（ステップＳＴ１５７）
ＣＰＵ１０１は、時刻計測部１０７が出力する現在の時刻と、ＲＡＭ１１０に記憶されている皮膚抵抗値と対応付けられている最新の時刻とに基づいて、皮膚抵抗値と対応付けられている最新の時刻から設定時間であるｎ分が経過したか否かを判定する。例えば、皮膚抵抗値ＳＲ0と対応付けられている時刻情報の時刻が最新である場合、ＣＰＵ１０１は、この時刻からｎ分が経過したか否かを判定する。
時刻計測部１０７が出力する現在の時刻が、ＲＡＭ１１０に記憶されている皮膚抵抗値と対応付けられている最新の時刻からｎ分経過していると判定した場合、ＣＰＵ１０１は、ステップＳＴ１５８の処理に進む。一方、それ以外の場合、ＣＰＵ１０１は、ステップＳＴ１５７の処理を継続し、ｎ分が経過するまで待機する。なお、設定時間ｎは、予め決められた時間がＲＡＭ１１０に設定されているものであってもよく、ユーザの指定により任意の時間に変更できるようにしてもよい。
【００８６】
（ステップＳＴ１５８）
ＣＰＵ１０１は、発汗判定処理を実行する。この発汗判定処理は、図４〜７を用いて説明した発汗判定処理のうちいずれか１つを適用することができる。この際、実行する発汗判定処理は、予め設定されているものであってもよく、ユーザによって入力部１０４を介して指定されるものであってもよい。
発汗判定処理が終了した場合、ＣＰＵ１０１は、ステップＳＴ１５６に戻って、タイマー１１１の残り時間の判定を行う。
【００８７】
（ステップＳＴ１５９）
上述のステップＳＴ１５６において、タイマー１１１が計測する日焼けをすると推定されるまでの残り時間が「０」であるとＣＰＵ１０１が判定した場合、ＣＰＵ１０１は、例えば、日焼け時間が経過したことを警告する表示を表示部１０８に表示させる。その後、処理を終了する。なお、日焼け時間が経過したことを警告する方法として、紫外線測定装置１００が音声出力部を備え、音声を用いて警告を行うようにしてもよい。また、ＣＰＵ１０１は、「日焼け止めクリームを塗ってください」あるいは「日焼けに注意してください」等の日焼け時間が経過したことによってユーザに通知すべき情報を出力するものであってもよい。
（ステップＳＴ１６０）
次いで、入力部１０４を介してユーザから警告の解除が指示されると、ＣＰＵ１０１は、ステップＳＴ１５２に戻って上述と同様の処理を繰り返す。
【００８８】
（ステップＳＴ１６１）
ステップＳＴ１５３に戻って、ＲＡＭ１１０に日焼け止めクリームの設定値が保存されていない場合、ＣＰＵ１０１は、ＲＡＭ１１０からステップＳＴ１５２において検出された紫外線強度を読み出し、この紫外線強度と日焼け止めクリームの設定値に基づいて、日焼けをすると推定されるまでの日焼け時間を取得する。例えば、ＣＰＵ１０１は、検出された紫外線強度に対応する日焼け防止対策なし時の日焼け時間ｔ３を示す日焼け時間設定値をＲＡＭ１１０に設定する。なお、日焼け時間の取得方法はどのような方法を用いてもよい。
【００８９】
（ステップＳＴ１６２）
そして、ＣＰＵ１０１は、タイマー１１１が計測する日焼け防止対策なし時の日焼け時間ｔ３をカウントダウンした残り時間が「０」であるか否かを判定する。日焼け防止対策なし時の日焼け時間ｔ３をカウントダウンした残り時間が「０」であると判定した場合、ＣＰＵ１０１はステップＳＴ１５９の処理に進み、それ以外の場合にはステップＳＴ１６２の処理を継続する。
【００９０】
上述したとおり、本実施形態によれば、日焼け止めクリームの設定値が設定されている場合、日焼け防止対策の有無に応じて予め決められている日焼け時間を設定することができる。これにより、検出される紫外線強度が同一であっても、日焼け防止対策をしている場合には、日焼け防止対策をしていない場合に比べて、日焼け時間を長く設定することができる。これにより、日焼け防止対策を行っているユーザと行っていないユーザに対して、それぞれに適した日焼け時間を設定することができる。
【００９１】
次に、図９を参照して、図２に示す電子時計２００と構成が一部異なる電子時計３００の一例を説明する。図９は、この電子時計３００の一部の断面を示す図である。
図９に示す通り、導電ゴム２０４，２０５は、裏蓋２０２の一部にそれぞれ取り付けられている。つまり、バンド２０３に導電ゴム２０４，２０５が取り付けられている電子時計２００とは、この取り付け位置が異なる。
導電ゴム２０４，２０５は、ＣＰＵ１０１や皮膚抵抗値検出部１１３を搭載する回路基板２０６と電極接点部２０７を介して接続されている。なお、導電ゴム２０４，２０５と裏蓋２０２との間には、絶縁枠が取り付けられている。
【００９２】
なお、上述した第１実施形態から第５実施形態における紫外線測定装置１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００９３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９４】
以上、本発明の第１実施形態から第５実施形態について説明したが、本発明は、上記実施形態に限定されるものではなく、本発明の趣旨を逸脱しない範囲において種々の変更を加えることが可能である。例えば、紫外線測定装置１００を腕時計型の装置としてもよく、容易に持ち運びが可能なように小型の装置としてもよい。また、紫外線測定装置１００を他の電子機器に組み込んでもよい。
なお、本発明は上記実施形態に限定されることなく、以下のような変更が一部加えられた構成であってもよい。
例えば、本実施形態において、皮膚抵抗閾値は、日焼け止めクリームの日焼け防止の効力が低減する発汗量の変化に対応する皮膚抵抗値の変化量を例として説明したが、これに限られず、例えば、日焼け止めクリームの日焼け防止の効力が低減する発汗量に対応する皮膚抵抗値であってもよい。この場合、ＣＰＵ１０１は、現在の皮膚抵抗値とこの皮膚抵抗閾値とを比較して、皮膚抵抗閾値以下になった場合、一定の発汗があったと判定する。
【符号の説明】
【００９５】
１００・・・紫外線測定装置、１０１・・・ＣＰＵ、１０２・・・発振回路、１０３・・・分周回路、１０４・・・入力部、１０５・・・紫外線センサー、１０６・・・Ａ／Ｄ変換部、１０７・・・時刻計測部、１０８・・・表示部、１０９・・・ＲＯＭ、１１０・・・ＲＡＭ、１１１・・・タイマー、１１２・・・電池、１１３・・・皮膚抵抗値検出部、１１４・・・温度センサー
【図１】
2012189520.tif 000003
【図２】
2012189520.tif 000004
【図３】
2012189520.tif 000005
【図４】
2012189520.tif 000006
【図５】
2012189520.tif 000007
【図６】
2012189520.tif 000008
【図７】
2012189520.tif 000009
【図８】
2012189520.tif 000010
【図９】
2012189520.tif 000011